(57)【特許請求の範囲】
【請求項１】
被写体像を撮像する撮像装置であって、
撮像装置本体と、
前記撮像装置本体に対して、収納位置と使用位置とに移動可能である、撮像時に操作者が、前記撮像装置を保持するために用いられる保持手段と、
前記保持手段の移動に伴い、前記収納位置と前記使用位置とに移動するとともに、少なくとも前記使用位置において、前記保持手段に対して、回動可能となるように取り付けられている、撮影した画像を表示する画像表示手段と
を有することを特徴とする撮像装置。
【請求項２】
電源をオンオフする電源切り換え手段を備え、
前記保持手段の移動動作に応じて電源オンに切り換わることを特徴とする請求項１に記載の撮像装置。
【請求項３】
前記画像表示手段は、前記撮像装置を操作するための操作手段を備えたことを特徴とする請求項１又は２に記載の撮像装置。
【発明の詳細な説明】
【０００１】
【発明の属する技術分野】
本発明は、撮像装置に関するものであり、特に、小型軽量化した撮像装置に関するものである。
【０００２】
【従来の技術】
近年において、ビデオテープレコーダ（ＶＴＲ）本体を小型化しカメラと一体型にした装置である所謂ビデオカメラにおいては、機能の多様化や小型軽量化等が進んでいる。
【０００３】
そこで、例えば、図１６に示すようなビデオカメラ３００がある。
このビデオカメラ３００は、ＶＴＲ一体型の小型ディジタルビデオカメラであり、本体が片手で持てる程小型軽量化されたものである。
【０００４】
すなわち、ビデオカメラ３００は、上記図１６に示すように、カメラ部３０１と、ＶＴＲ部３０２と、ファインダー部３０３とを備えており、ＶＴＲ部３０２の筐体前面と後面をはさんで保持する形状となっている。
また、ビデオカメラ３００本体背面には、図１７に示すように、録画ボタン３０４、ズームキー３０５、カメラダイヤル３０６、及び各種設定ダイヤル３０７等の操作ボタンが配置されており、これらの各種操作ボタンは、ＶＴＲ部３０２の筐体前面と後面をはさんで保持した場合に親指で操作する構成となっている。
【０００５】
【発明が解決しようとする課題】
しかしながら、上述のような従来のビデオカメラ３００は、本体が片手で持てる程小型軽量であり、非常に携帯性に優れている、という特徴を持っているが、その反面、保持性や操作性に関しては以下のような不都合な点がいくつかある。
【０００６】
まず、ビデオカメラ３００は、ＶＴＲ部３０２の筐体前面と後面をはさんで保持する形状となっているため、撮影者は、ビデオカメラ３００本体を長手方向にはさんで保持しなければならない。これにより、長時間の撮影を行う場合等は、片手でビデオカメラ３００を安定した状態に保つことが難しく、長時間安定した状態で撮影することができなかった。
【０００７】
そこで、この不都合な点を解決するために、例えば、ビデオカメラ３００本体の筐体側面にグリップストラップが設けられたビデオカメラがある。
【０００８】
しかしながら、このようなグリップストラップが設けられたビデオカメラは、非撮影時においてもグリップストラップが装着されたままの状態となり、携帯性が損なわれてしまっていた。一般的に、ビデオカメラを保持するためのグリップストラップ等の手段は、非撮影時には不要となるため、何らかの収納手段を設けることが望ましい。
【０００９】
また、ビデオカメラ３００は、その本体後部にファインダー部３０３が設けられた構成としているが、このファインダー部３０３は、ビデオカメラ３００本体の筐体に回転不能に固定されており、このため、ハイアングルやローアングルでの撮影や、対面撮影等を行うことができなかった。
【００１０】
そこで、この不都合な点を解決するために、例えば、ファインダー部３０３が上下に回転可能となるように、ファインダー部３０３をビデオカメラ３００本体側面に設けようとすると、ファインダー部３０３が突出した形状となってしまい、この構成は携帯性を求めるビデオカメラには向かない。
【００１１】
そこで、本発明は、上記の欠点を除去するために成されたもので、撮影時の保持性及び操作性が共に優れており、且つ非撮影時の携帯性も優れた撮像装置を提供することを目的とする。
【００１２】
【課題を解決するための手段】
本発明の撮像装置は、被写体像を撮像する撮像装置であって、撮像装置本体と、前記撮像装置本体に対して、収納位置と使用位置とに移動可能である、撮像時に操作者が、前記撮像装置を保持するために用いられる保持手段と、前記保持手段の移動に伴い、前記収納位置と前記使用位置とに移動するとともに、少なくとも前記使用位置において、前記保持手段に対して、回動可能となるように取り付けられている、撮影した画像を表示する画像表示手段とを有することを特徴とする。
【００１３】
【発明の実施の形態】
以下、本発明の実施の形態について図面を用いて説明する。
【００１４】
まず、第１の実施の形態について説明する。
【００１５】
本発明に係るビデオカメラは、例えば、図１に示すようなビデオカメラ１００に適用される。
【００１６】
ここで、上記図１は、ビデオカメラ１００を正面からみた図であり、また、以下の説明で用いる図２及び図３は、ビデオカメラ１００を背面からみた図である。そして、上記図１及び図２は、ビデオカメラ１００の非撮影時の状態を示しており、上記図３は、ビデオカメラ１００の撮影時の状態を示している。
【００１７】
まず、上記図１に示すように、ビデオカメラ１００は、カメラ本体１１０と、カメラ本体１１０に移動自在に設けられた保持部１１１と、保持部１１１に設けられた凹部１１１ｂと、保持部１１１に回転可能に設けられた液晶表示部１１２とを備えており、保持部１１１には、録画開始／停止スイッチ１１３及びズームキー１１４が配置され、液晶表示部１１２には、ＶＴＲ操作ボタン１１５が配置されている。
【００１８】
また、上記図２に示すように、ビデオカメラ１００は、保持部１１１に設けられた甲当て部１１１ａと、カメラ本体１１０下部に設けられたバッテリー１１７と、カメラ本体１１０上部に内蔵されたレンズユニット１１６とを備えている。
【００１９】
上述のようなビデオカメラ１００において、非撮影時には、上記図１及び図２に示すように、保持部１１１はカメラ本体１１０の側面及び背面に装着した状態で収納されて、カメラ本体１１０と共に略直方体形状を成す状態となる。
また、撮影時には、上記図３に示すように、保持部１１１をカメラ本体１１０の背面に移動させることにより、保持しやすい状態となる。
【００２０】
つぎに、カメラ本体１１０と保持部１１１の係合構造について、図４及び図５を用いて具体的に説明する。
【００２１】
尚、上記図４及び図５は、カメラ本体１１０と保持部１１１を係合させる際に、ビデオカメラ１００を正面方向（上記図１の矢印Ｓ1 方向）から見た状態、及び側面面方向（上記図１の矢印Ｓ2 方向）から見た状態を各々示したものである。
【００２２】
上記図４及び図５に示すように、カメラ本体１１０には、ガイドレール１１０ａが設けられており、保持部１１１には、スライド基部１１１ｃが設けられている。
【００２３】
そして、ガイドレール１１０ａは、スライド基部１１１ｃに滑動自在に挿入されるようになされており、この構成により、保持部１１１は、カメラ本体１１０と長手方向に滑動可能な状態で結合される。
【００２４】
つぎに、上述のようにしてカメラ本体１１０に結合された保持部１１１の非撮影状態から撮影状態への展開状況を図６（ａ）〜（ｄ）を用いて説明する。
【００２５】
尚、上記図６（ａ）〜（ｄ）は、上記図１中のＳ3 −Ｓ3 ’線に沿う断面図である。
【００２６】
先ず、非撮影時のビデオカメラ１００は、上記図６（ａ）に示すように、カメラ本体１１０の側面に保持部１１１が収納された状態である。
【００２７】
そこで、撮影者は、上記図６（ｂ）に示すように、カメラ本体１１０の側面に収納されている保持部１１１を、カメラ本体１１０の上述したガイドレール（上記図４及び図５中の１１０ａ）に沿って、後方（同図中の矢印Ｓ4 方向）にスライドさせる。
【００２８】
次に、撮影者は、上記図６（ｃ）に示すように、保持部１１１がスライド方向（同図中の矢印Ｓ4 方向）に対して９０°回転（同図中の矢印Ｓ5 方向の回転）させる。
【００２９】
したがって、ビデオカメラ１００は、上記図６（ｄ）に示すように、保持部１１１がカメラ本体１００の後部に装着され、撮影可能な状態となる。
【００３０】
上述のようにして、ビデオカメラ１００が撮影可能な状態となると、例えば、図７に示すようにして、撮影者４００により使用される。
【００３１】
すなわち、撮影時において、上記図７に示すように、撮影者４００は、甲当て部１１１ａとカメラ本体１１０の間に右手甲４００ａを挿入し、右手親指４００ｂと右手人差し指４００ｃの間に凹部１１１ｂを掛けて保持する。
【００３２】
このとき、保持部１１１は、右手親指４００ｂと右手人差し指４００ｃによって挟持され、右手甲４００ａの押圧力が甲当て部１１１ａにかかる。
また、右手親指４００ｂを除く他の四指４００ｃ〜４００ｆは、カメラ本体１１０を支持する。
【００３３】
したがって、ビデオカメラ１００は、上述のような構成により、保持部１１１を剛性の高い構造とすることができ、手甲の当たる部分に摩擦性のある材質を用いることができるため、高い保持性を得ることができる。
【００３４】
つぎに、保持部１１１の移動に連動したカメラモードの切り換えについて、図８を用いて説明する。
【００３５】
尚、上記図８は、上記図５のガイドレール１１０ａ付近（点線部分）の拡大図である。
【００３６】
すなわち、上記図８に示すように、カメラ本体１１０の後面には、逃げ穴１１０ｂが設けられており、この逃げ穴１１０ｂには、切り換えスイッチ１１８が配置されている。
【００３７】
そして、非撮影時には、上述のような構成によりカメラ本体１１０の後面部分が甲当て部１１１ａで覆われた状態となり、切り換えスイッチ１１８は、逃げ穴１１０ｂによって、例えば、電源オフ状態となる。したがって、この場合には、ビデオカメラ１００は撮影機能しない。
【００３８】
一方、撮影時には、上述のような構成により保持部１１１の裏面に設けられたスライド基部１１１ｃが逃げ穴１１０ｂに挿入され、これにより、逃げ穴１１０ｂに配置された切り換えスイッチ１１８が押されて、例えば、電源オン状態となる。したがって、この場合には、ビデオカメラ１００は撮影機能する。
【００３９】
上述のように、ビデオカメラ１００は、保持部１１１の移動と、電源オン／オフ等のカメラモードの切り換えとが連動するようになされているため、例えば、電源のオン／オフ状態が視覚的に把握しやすく、電源の切り忘れを防ぐことができる。
【００４０】
つぎに、保持部１１１に回転可能に設けられた液晶表示部１１２について、図９（ａ）及び（ｂ）、図１０を用いて説明する。
【００４１】
尚、上記図９（ａ）は、撮影時において、液晶表示部１１２の使用状態をビデオカメラ１００を背面からみた図であり、上記図９（ｂ）は、上記図９（ａ）の状態をビデオカメラ１００を側面からみた図（上記図９（ａ）中の矢印Ｓ6 方向からみた図) である。
また、上記図１０は、非撮影時において、液晶表示部１１２の使用状態をビデオカメラ１００の正面からみた図である。
【００４２】
液晶表示部１１２は、上記図９（ａ）及び（ｂ）に示すように、撮影状態においては、保持部１１１の上端付近で保持部１１１と回転可能（上記図９（ｂ）中の矢印Ｓ8 方向に回転可能）に係合されている。
また、上記図１０に示すように、非撮影状態、すなわち保持部１１１が収納された状態においても、液晶表示部１１２は、角度調整が可能（上記図１０中の矢印Ｓ9 方向に角度調整可能）なようになされている。
【００４３】
したがって、液晶表示部１１２が回転することにより、上記図９（ｂ）に示すように、ローアングルやハイアングルの撮影、及び体面撮影等にも対応することができ、また、上記図１０に示すように、非撮影時に録画したものを再生する場合にも、安定した状態で画像の確認を行うことができる。
【００４４】
つぎに、保持部１１１や液晶表示部１１２に配置された各種操作ボタンについて説明する。
【００４５】
録画や再生時に基本的操作を行うための各種操作ボタンは、上述したように保持部１１１と液晶表示部１１２に配置されている。
【００４６】
特に、録画開始／停止スイッチ１１３及びズームキー１１４は、上記図７に示すように、撮影者４００が親指４００ｂで操作できるような位置、具体的には凹部１１１ｂ付近に配置されている。
また、ＶＴＲ操作ボタン１１５は、上記図７に示すように、液晶表示部１１２のパネル１１２ａ付近に配置されている。
【００４７】
したがって、撮影者は、録画開始／停止スイッチ１１３及びズームキー１１４を親指４００ｂでスムーズに操作することができ、また、液晶表示部１１２に画面表示された画像を確認しながら、ＶＴＲ操作ボタン１１５を操作することができる。
【００４８】
つぎに、第２の実施の形態について説明する。
【００４９】
本発明に係るビデオカメラは、例えば、図１１に示すようなビデオカメラ２００に適用される。
【００５０】
ここで、上記図１１及び以下の説明で用いる図１２は、ビデオカメラ２００を背面からみた図であり、以下の説明で用いる図１３は、ビデオカメラ２００を正面からみた図である。そして、上記図１１は、ビデオカメラ２００の非撮影時の状態を示しており、上記図１２及び図１３は、ビデオカメラ２００の撮影時の状態を示している。
【００５１】
まず、上記図１１に示すように、ビデオカメラ２００は、カメラ本体２１０と、カメラ本体２１０に移動自在（同図中の矢印Ｓ10方向に移動自在）に設けられた保持部２１１と、保持部２１１に設けられた凹部２１３と、カメラ本体２１０下部に設けられたバッテリー２１８と、カメラ本体２１０上部に内蔵されたレンズユニット２１７とを備えている。
【００５２】
また、カメラ本体２１０には、ズームキー２１５が配置され、保持部１１１には、録画開始／停止スイッチ２１４及びＶＴＲ操作ボタン２１６が配置されていると共に、液晶表示部２１９が設けられている。
【００５３】
さらに、上記図１２に示すように、保持部２１１の裏面には、甲当て部２１２が保持部２１１に回転可能（同図中の矢印Ｓ11方向に回転可能）に設けられている。
【００５４】
上述のようなビデオカメラ１００において、非撮影時には、上記図１１に示すように、保持部２１１はカメラ本体２１０の側面に畳まれた状態で収納されて、カメラ本体２１０と共に略直方体形状を成す状態となる。
【００５５】
一方、撮影時には、上記図１２及び図１３に示すように、保持部２１１を回転させて、保持部２１１の裏側に設けられた甲当て部２１２を起こすことにより、撮影状態となる。
【００５６】
したがって、撮影者は、上記図１２及び図１３に示した撮影状態において、甲当て部２１２とカメラ本体２１０の間に、例えば、右手甲を挿入し、右手親指と人差し指の間に凹部２１３を掛けて保持して、撮影を行う。
【００５７】
ここで、図１４及び図１５は、上述のような保持部２１１と甲当て部２１２の展開時及び収納時を、ビデオカメラ２００の上面方向から見た図である。
【００５８】
上記図１４及び図１５に示すように、このビデオカメラ２００では、保持部２１１の動きが回転のみの動き（上記図１４中の矢印Ｓ10方向の回転のみの動き）となるため、保持部２１１を収納及び展開させるための必要な機構を簡略化することができる。
【００５９】
尚、上述したビデオカメラ２００において、例えば、保持部２１１の裏側にカメラモードを切り換えるスイッチを設け、上述したビデオカメラ１００と同様に、保持部２１１の回転動作に連動して、上記スイッチが切り換わるようにしてもよい。
【００６０】
【発明の効果】
以上説明したように、本発明によれば、撮影時には、装置本体を保持しやすい形状に変化させることができるため、撮影時の操作を安定した状態で行うことができ、画像表示手段に画面表示された撮影画像を視認しながら撮影を行うことができる。また、非撮影時には、携帯しやすい形状に変化させることもできる。したがって、撮影時の優れた保持性及び優れた操作性を共に持たせることができ、且つ非撮影時の優れた携帯性も持たせることができる。
【図面の簡単な説明】
【図１】第１の実施の形態において、本発明に係るビデオカメラの正面からの外観を示す斜視図である。
【図２】非撮影時において、上記ビデオカメラの背面からの外観を示す斜視図である。
【図３】撮影時において、上記ビデオカメラの背面からの外観を示す斜視図である。
【図４】カメラ本体と保持部の係合構造の正面からの外観を示す斜視図である。
【図５】カメラ本体と保持部の係合構造の側面からの外観を示す斜視図である。
【図６】上記保持部の非撮影状態から撮影状態への展開状況を示す斜視図である。
【図７】撮影時において、上記ビデオカメラの使用状況を示す斜視図である。
【図８】上記ビデオカメラの切り換えスイッチ付近を示す斜視図である。
【図９】上記ビデオカメラの液晶表示部の回転動作を示す斜視図である。
【図１０】上記ビデオカメラの液晶表示部の回転動作を示す横面図である。
【図１１】第２の実施の形態において、本発明に係るビデオカメラの背面からの外観を示す斜視図である。
【図１２】撮影時において、上記ビデオカメラの背面からの外観を示す斜視図である。
【図１３】撮影時において、上記ビデオカメラの正面からの外観を示す斜視図である。
【図１４】撮影時において、上記ビデオカメラの上面からの外観を示す斜視図である。
【図１５】非撮影時において、上記ビデオカメラの上面からの外観を示す斜視図である。
【図１６】従来のビデオカメラの正面からの外観を示す斜視図である。
【図１７】従来のビデオカメラの背面からの外観を示す斜視図である。
【符号の説明】
１００    ビデオカメラ
１１０    カメラ本体
１１１    保持部
１１１ｂ  凹部
１１２    液晶表示部
１１３    録画開始／停止スイッチ
１１４    ズームキー
１１５    ＶＴＲ操作ボタン
１１７    バッテリー
【図１】
0003762008.tif 000002
【図２】
0003762008.tif 000003
【図３】
0003762008.tif 000004
【図４】
0003762008.tif 000005
【図５】
0003762008.tif 000006
【図６】
0003762008.tif 000007
【図７】
0003762008.tif 000008
【図８】
0003762008.tif 000009
【図９】
0003762008.tif 000010
【図１０】
0003762008.tif 000011
【図１１】
0003762008.tif 000012
【図１２】
0003762008.tif 000013
【図１３】
0003762008.tif 000014
【図１４】
0003762008.tif 000015
【図１５】
0003762008.tif 000016
【図１６】
0003762008.tif 000017
【図１７】
0003762008.tif 000018